(57)【要約】【課題】２つの電流検出結果に基づいて過電流に適切に対処できる発光制御装置等を提供すること。【解決手段】発光制御装置１００は第１検出回路１３１と第２検出回路１３２と発光制御回路１０１とを含む。第１検出回路１３１は、第１抵抗ＲＣＳの両端の電位差である第１電位差を、検出する。第２検出回路１３２は、第２抵抗ＲＩＳの両端の電位差である第２電位差を、検出する。発光制御回路１０１は、第１スイッチング素子１１のオンオフを制御する第１制御信号ＤＲＶと、第２スイッチング素子１２のオンオフを制御する第２制御信号ＧＴＢと、を出力する。発光制御回路１０１は、第１電位差が第１しきい値より小さいと検出され、且つ第２電位差が第２しきい値より大きいと検出されたとき、第１制御信号ＤＲＶ及び第２制御信号ＧＴＢの少なくとも一方を、非アクティブにする停止処理を行う。【選択図】      図１
2020140797.tif 000002
【特許請求の範囲】
【請求項１】
第１電源ノードと第１ノードとの間に直列に設けられる発光素子及び第１抵抗及び第１スイッチング素子と、前記第１ノードと第２電源ノードとの間に直列に設けられるインダクター及び第２スイッチング素子及び第２抵抗と、を含む光源回路の前記第１スイッチング素子及び前記第２スイッチング素子を制御する発光制御装置であって、
前記第１抵抗の両端の電位差である第１電位差を、検出する第１検出回路と、
前記第２抵抗の両端の電位差である第２電位差を、検出する第２検出回路と、
前記第１スイッチング素子のオンオフを制御する第１制御信号と、前記第２スイッチング素子のオンオフを制御する第２制御信号と、を出力する発光制御回路と、
を含み、
前記発光制御回路は、
前記第１検出回路により前記第１電位差が第１しきい値より小さいと検出され、且つ前記第２検出回路により前記第２電位差が第２しきい値より大きいと検出されたとき、前記第１制御信号及び前記第２制御信号の少なくとも一方を、非アクティブにする停止処理を行うことを特徴とする発光制御装置。
【請求項２】
請求項１に記載の発光制御装置において、
前記発光制御回路は、
前記第２検出回路により前記第２電位差が前記第２しきい値より大きいと検出されたとき、前記第２スイッチング素子に流れる電流を停止させた後に前記電流を増加させる再起動処理を行うことを特徴とする発光制御装置。
【請求項３】
請求項２に記載の発光制御装置において、
前記発光制御回路は、
前記再起動処理後に前記停止処理を行うことを特徴とする発光制御装置。
【請求項４】
請求項３に記載の発光制御装置において、
前記発光制御回路は、
前記再起動処理後に、前記第１検出回路により前記第１電位差が前記第１しきい値より小さいと検出され、且つ前記第２検出回路により前記第２電位差が前記第２しきい値より大きいと検出されたとき、前記停止処理を行うことを特徴とする発光制御装置。
【請求項５】
請求項３又は４に記載の発光制御装置において、
前記発光制御回路は、
前記再起動処理が２以上の所定回数行われたとき、前記停止処理を行うことを特徴とする発光制御装置。
【請求項６】
請求項１乃至５のいずれか一項に記載の発光制御装置において、
前記発光制御回路は、
前記第１検出回路により前記第１電位差が前記第１しきい値より小さいと検出され、且つ前記第２検出回路により前記第２電位差が前記第２しきい値より大きいと検出されたとき、前記第１抵抗の両端が短絡されたと判断することを特徴とする発光制御装置。
【請求項７】
請求項１乃至６のいずれか一項に記載の発光制御装置において、
前記発光制御回路は、
前記第１検出回路により前記第１電位差が第３しきい値より大きいと検出されたとき、前記発光素子に過電流が流れたと判断することを特徴とする発光制御装置。
【請求項８】
請求項１乃至７のいずれか一項に記載の発光制御装置において、
前記発光制御回路は、
前記第２検出回路により前記第２電位差が前記第２しきい値より大きいと検出されたとき、前記第２スイッチング素子に過電流が流れたと判断することを特徴とする発光制御装置。
【請求項９】
請求項１乃至８のいずれか一項に記載の発光制御装置において、
前記発光制御回路は、
前記第１電位差に基づいて前記発光素子に流れる電流を検出する電流検出回路を含み、
前記第１検出回路は、
前記電流検出回路の電流検出結果に基づいて前記第１電位差を検出し、
前記発光制御回路は、
前記電流検出結果と前記第２電位差に基づいて、前記第２制御信号をＰＷＭ制御することを特徴とする発光制御装置。
【請求項１０】
請求項１乃至９のいずれか一項に記載の発光制御装置と、
前記光源回路と、
を含むことを特徴とする光源装置。
【請求項１１】
請求項１０に記載の光源装置において、
前記第１抵抗は、前記第１電源ノードと前記発光素子の一端との間に接続され、
前記第１スイッチング素子は、前記発光素子の他端と前記インダクターの一端との間に接続され、
前記第２スイッチング素子は、前記インダクターの他端と前記第２抵抗の一端との間に接続され、
前記第２抵抗の他端は、前記第２電源ノードに接続されることを特徴とする光源装置。
【請求項１２】
請求項１０又は１１に記載の光源装置と、
前記光源装置を制御する処理装置と、
を含むことを特徴とする投写型映像表示装置。
【発明の詳細な説明】
【技術分野】
【０００１】
本発明は、発光制御装置、光源装置及び投写型映像表示装置等に関する。
【背景技術】
【０００２】
プロジェクター等に用いられる光源を制御する発光制御装置が知られている。発光制御装置は、インダクターに電流を流すトランジスターをオンオフ制御することでスイッチングレギュレート制御を行い、そのスイッチングレギュレート制御により得られた定電流を発光素子に流すことで、発光素子の発光量を制御する。このとき、発光制御装置は、発光素子に流れる電流と、スイッチングレギュレート用のトランジスターに流れる電流とを検出し、それらの電流に基づいてスイッチングレギュレート制御を行う。このような発光制御装置の従来技術は、例えば特許文献１に開示されている。
【先行技術文献】
【特許文献】
【０００３】
【特許文献１】特開２０１８−１０６８６２号公報
【発明の概要】
【発明が解決しようとする課題】
【０００４】
発光制御装置は、過電流による異常又は故障を回避するために、過電流検出を行う。従来は、発光素子に流れる電流に対する過電流検出と、スイッチングレギュレート用のトランジスターに流れる電流に対する過電流検出と、を行い、それらの検出結果を個別に利用することで過電流に対処していた。しかしながら、検出結果を個別に利用しただけでは、過電流に適切に対処できない場合があるという課題がある。
【課題を解決するための手段】
【０００５】
本発明の一態様は、第１電源ノードと第１ノードとの間に直列に設けられる発光素子及び第１抵抗及び第１スイッチング素子と、前記第１ノードと第２電源ノードとの間に直列に設けられるインダクター及び第２スイッチング素子及び第２抵抗と、を含む光源回路の前記第１スイッチング素子及び前記第２スイッチング素子を制御する発光制御装置であって、前記第１抵抗の両端の電位差である第１電位差を、検出する第１検出回路と、前記第２抵抗の両端の電位差である第２電位差を、検出する第２検出回路と、前記第１スイッチング素子のオンオフを制御する第１制御信号と、前記第２スイッチング素子のオンオフを制御する第２制御信号と、を出力する発光制御回路と、を含み、前記発光制御回路は、前記第１検出回路により前記第１電位差が第１しきい値より小さいと検出され、且つ前記第２検出回路により前記第２電位差が第２しきい値より大きいと検出されたとき、前記第１制御信号及び前記第２制御信号の少なくとも一方を、非アクティブにする停止処理を行う発光制御装置に関係する。
【図面の簡単な説明】
【０００６】
【図１】光源装置の構成例。
【図２】光源装置の構成例。
【図３】アナログ調光モードにおける波形図。
【図４】ＰＷＭ調光モードにおける波形図。
【図５】停止処理を説明する波形図。
【図６】電流検出回路の詳細構成例、及び第１検出回路の第１詳細構成例。
【図７】第２検出回路の詳細構成例。
【図８】動作制御回路の詳細構成例。
【図９】第１検出回路の第２詳細構成例。
【図１０】第１検出回路の第２詳細構成例の動作を説明する波形図。
【図１１】ソフトスタート制御回路の詳細構成例。
【図１２】ソフトスタート制御回路の動作を説明する波形図。
【図１３】正常時においてソフトスタート処理が行われる場合の波形図。
【図１４】投写型映像表示装置の構成例。
【発明を実施するための形態】
【０００７】
以下、本開示の好適な実施の形態について詳細に説明する。なお以下に説明する本実施形態は特許請求の範囲に記載内容を不当に限定するものではなく、本実施形態で説明される構成の全てが必須構成要件であるとは限らない。
【０００８】
１．光源装置、発光制御装置
図１及び図２は、光源装置２００の構成例である。光源装置２００は、発光素子及びその周辺回路である光源回路１０と、発光素子の発光を制御する発光制御装置１００と、を含む。発光制御装置１００は例えば集積回路装置であり、例えば半導体チップにより実現される。
【０００９】
まず図１及び図２を用いて光源回路１０と発光制御装置１００の構成を説明し、図３、図４を用いてＰＷＭ調光モードとアナログ調光モードについて説明する。その後、図５以降において過電流検出について説明する。
【００１０】
図２に示すように、光源回路１０は、第１スイッチング素子１１と第２スイッチング素子１２とインダクター１４と発光素子１５とを含む。また光源回路１０は、第１抵抗ＲＣＳと第２抵抗ＲＩＳとキャパシターＣＡとダイオードＤＡとを含む。なお図１には、第１スイッチング素子１１と第２スイッチング素子１２がＮ型トランジスターである場合を図示するが、これらのスイッチング素子はＮ型トランジスターに限定されない。
【００１１】
発光素子１５は、電流ＩＬＤによって駆動され、電流ＩＬＤの電流値に応じた明るさで発光する。発光素子１５は、直列に接続された複数のレーザーダイオードである。但し、発光素子１５は、１つのレーザーダイオードであってもよいし、或いはＬＥＤ（Light Emitting Diode）であってもよい。
【００１２】
発光素子１５と第１スイッチング素子１１は、第１電源ノードＮＶＩと第１ノードＮ１との間に直列に設けられる。第１ノードＮ１は、インダクター１４の一端に接続されるノードである。インダクター１４及び第２スイッチング素子１２及び第２抵抗ＲＩＳは、第１ノードＮ１と第２電源ノードＮＧＮとの間に直列に設けられる。具体的には、第１電源ノードＮＶＩと発光素子１５の一端の間に第１抵抗ＲＣＳが接続され、発光素子１５の他端が第１スイッチング素子１１のドレインに接続され、第１スイッチング素子１１のソースがインダクター１４の一端に接続される。インダクター１４の他端が第２スイッチング素子１２のドレインに接続され、第２スイッチング素子１２のソースと第２電源ノードＮＧＮの間に第２抵抗ＲＩＳが接続される。第１電源ノードＮＶＩは第１電源が入力されるノードであり、第２電源ノードＮＧＮは第２電源が入力されるノードである。第１電源の電圧は第２電源の電圧より高い。第２電源は例えばグランドである。なお、キャパシターＣＡ、ダイオードＤＡについて接続関係は図２に図示する通りであり、これらの回路素子を含む光源回路１０の動作について図３、図４で後述する。
【００１３】
第２スイッチング素子１２は、インダクター１４に流れる電流をスイッチングレギュレート制御する。第１スイッチング素子１１は、インダクター１４に流れる電流を発光素子１５に流すか否かを制御する。詳細は後述するが、第１スイッチング素子１１が常時オンしており、第２スイッチング素子１２のスイッチングレギュレート制御によって発光素子１５の発光量が制御されるモードをアナログ調光モードと呼ぶ。また、第１スイッチング素子１１がオンオフすることで、そのオンデューティーによって発光素子１５の発光量が制御されるモードをＰＷＭ調光モードと呼ぶ。
【００１４】
図１に示すように、発光制御装置１００は、発光制御回路１０１と第１検出回路１３１と第２検出回路１３２とを含む。また発光制御装置１００は、ＰＷＭ端子ＴＤＣＳと調光用電圧入力端子ＴＡＣＳと端子ＴＤＲＶ、ＴＧＴＢ、ＴＩＳ、ＴＣＳＰ、ＴＣＳＮとを含む。
【００１５】
ＰＷＭ端子ＴＤＣＳには、ＰＷＭ調光モードにおいて調光制御に用いられるＰＷＭ信号ＤＣＳが、処理装置から入力される。調光用電圧入力端子ＴＡＣＳには、アナログ調光モードにおいて調光制御に用いられる調光用電圧ＡＣＳが、処理装置から入力される。処理装置は、発光制御装置１００のホスト装置であり、例えばＭＰＵ、ＣＰＵ等のプロセッサーである。
【００１６】
発光制御回路１０１は、ＰＷＭ信号ＤＣＳ及び調光用電圧ＡＣＳに基づいて第１スイッチング素子及び前記第２スイッチング素子をオンオフ制御することで、発光素子１５の発光量を調光する。発光制御回路１０１は、第１駆動回路１１０と第２駆動回路１２０と発振回路１４０とソフトスタート制御回路１３５と動作制御回路１３３とを含む。
【００１７】
第１駆動回路１１０は、第１スイッチング素子１１をオン又はオフに制御する第１制御信号ＤＲＶを、ＰＷＭ信号ＤＣＳに基づいて出力する。第１制御信号ＤＲＶは端子ＴＤＲＶから出力され、第１スイッチング素子１１のゲートに入力される。第１駆動回路１１０は、ＰＷＭ信号ＤＣＳがアクティブのとき、第１スイッチング素子１１をオンさせる第１制御信号ＤＲＶを出力し、ＰＷＭ信号ＤＣＳが非アクティブのとき、第１スイッチング素子１１をオフさせる第１制御信号ＤＲＶを出力する。第１駆動回路１１０は、例えば、ＰＷＭ信号ＤＣＳをバッファリングするバッファー回路等により構成される。
【００１８】
発振回路１４０は、クロック信号ＣＬＫを生成する。例えば発振回路１４０は、ＣＲ発振回路、又はリングオシレーター、マルチバイブレーター等である。
【００１９】
第２駆動回路１２０は、調光用電圧ＡＣＳとＰＷＭ信号ＤＣＳとクロック信号ＣＬＫに基づいて第２制御信号ＧＴＢを出力する。第２制御信号ＧＴＢは、端子ＴＧＴＢから出力され、第２スイッチング素子１２のゲートに入力される。第２制御信号ＧＴＢは、ＰＷＭ信号ＤＣＳがアクティブである期間において、第２スイッチング素子１２のオンオフを制御する。具体的には、第１抵抗ＲＣＳの一端の電圧ＣＳＰが端子ＴＣＳＰに入力され、第１抵抗ＲＣＳの他端の電圧ＣＳＮが端子ＴＣＳＮに入力され、第２抵抗ＲＩＳの一端の電圧ＩＳが端子ＴＩＳに入力される。第２駆動回路１２０は、電圧ＣＳＰ、ＣＳＮ、ＩＳと調光用電圧ＡＣＳに基づいて、発光素子１５に流れる電流ＩＬＤをスイッチングレギュレート制御することで、調光用電圧ＡＣＳに対応した電流ＩＬＤとなるように制御する。
【００２０】
第２駆動回路１２０は、制御信号出力回路１２１とスロープ補償回路１２２と電流検出回路１２３とエラーアンプ回路１２４とスイッチ回路１２５とコンパレーター１２６とを含む。以下、これら第２駆動回路１２０の各部と第１駆動回路１１０の各調光モードにおける動作について、図３、図４の波形図を用いて説明する。なお以下ではアクティブをハイレベルとし、非アクティブをローレベルとする。
【００２１】
図３はアナログ調光モードにおける波形図である。アナログ調光モードにおいて、ＰＷＭ信号ＤＣＳはハイレベルである。第１駆動回路１１０は、ハイレベルの第１制御信号ＤＲＶを出力することで、第１スイッチング素子１１を常時オンさせる。なおＰＷＭ調光モードでは、ＰＷＭ信号ＤＣＳは、ハイ幅のデューティーが１００％未満の矩形波である。このため、アナログ調光モードにおける常時ハイレベルのＰＷＭ信号ＤＣＳを、ハイ幅のデューティーが１００％のＰＷＭ信号とする。
【００２２】
電流検出回路１２３は、第１抵抗ＲＣＳの両端の電位差ＣＳＰ−ＣＳＮ＝ＲＣＳ×ＩＬＤに所与のゲインを乗じることで、検出電圧ＤＴＱを出力する。エラーアンプ回路１２４は、検出電圧ＤＴＱと調光用電圧ＡＣＳの誤差を増幅する。スイッチ回路１２５は、ＰＷＭ信号ＤＣＳがハイレベルのときオンであり、ＰＷＭ信号ＤＣＳがローレベルのときオフである。アナログ調光モードではスイッチ回路１２５は常時オンである。
【００２３】
スロープ補償回路１２２は、レーザーダイオードに流れる駆動電流のサブハーモニック発振を抑制するために、電圧ＩＳの時間変化における傾きを増加させ、その傾き増加後の電圧ＳＬＱを出力する。コンパレーター１２６は、電圧ＳＬＱとエラーアンプ回路１２４の出力電圧ＥＲＱとを比較し、ＳＬＱ＜ＥＲＱのときローレベルの信号ＣＰＱを出力し、ＳＬＱ＞ＥＲＱのときハイレベルの信号ＣＰＱを出力する。
【００２４】
制御信号出力回路１２１は、クロック信号ＣＬＫのエッジで第２制御信号ＧＴＢをローレベルからハイレベルに遷移させる。第２制御信号ＧＴＢがハイレベルのとき第２スイッチング素子１２がオンなので、第２スイッチング素子１２と第２抵抗ＲＩＳを介してインダクター１４から第２電源ノードＮＧＮに電流が流れる。インダクター１４に流れる電流が増加するので、電圧ＩＳが上昇し、スロープ補償回路１２２の出力電圧ＳＬＱが上昇する。インダクター１４に流れる電流は第１スイッチング素子１１を介して発光素子１５に流れるので、発光素子１５に流れる電流ＩＬＤも上昇する。
【００２５】
ＳＬＱ＞ＥＲＱとなったときコンパレーター１２６の出力信号ＣＰＱがローレベルからハイレベルに遷移する。このとき制御信号出力回路１２１は、第２制御信号ＧＴＢをハイレベルからローレベルに遷移させる。第２制御信号ＧＴＢがローレベルのとき、第２スイッチング素子１２がオフなので、インダクター１４からダイオードＤＡを介して第１電源ノードＮＶＩに電流が流れる。インダクター１４に流れる電流は低下するので、発光素子１５に流れる電流ＩＬＤも低下する。
【００２６】
電流ＩＬＤの検出結果である検出電圧ＤＴＱと、調光用電圧ＡＣＳとが異なっている場合、エラーアンプ回路１２４の出力電圧ＥＲＱが変化するので、第２制御信号ＧＴＢのデューティーが変化する。これにより、検出電圧ＤＴＱが調光用電圧ＡＣＳに一致するように、電流ＩＬＤがフィードバック制御される。このようなフィードバック制御によって、電流ＩＬＤが一定に保たれる。この電流ＩＬＤを一定に保つ制御をスイッチングレギュレート制御と呼ぶ。電流ＩＬＤは、調光用電圧ＡＣＳに対応した電流値に保たれ、処理装置が調光用電圧ＡＣＳを変化させた場合には、それに応じて電流ＩＬＤが変化する。即ち、アナログ調光モードでは、調光用電圧ＡＣＳによって発光素子１５の発光量が調光される。
【００２７】
以上のアナログ調光モードは、電流ＩＬＤの最大値から所定値まで用いられる。即ち発光素子１５を高輝度で発光させる場合にアナログ調光モードが用いられる。一方、電流ＩＬＤが所定値未満のとき、即ち、発光素子１５を低輝度で発光させる場合には、ＰＷＭ調光モードが用いられる。
【００２８】
図４は、ＰＷＭ調光モードにおける波形図である。ＰＷＭ信号ＤＣＳの周期をＴＰＷＭとし、ＰＷＭ信号ＤＣＳがハイレベルの期間をＴＨＷとする。ＰＷＭ信号ＤＣＳのデューティーは（ＴＨＷ／ＴＰＷＭ）×１００％である。なお、第２制御信号ＧＴＢの周波数は、ＰＷＭ信号ＤＣＳの周波数よりも高く設定されている。
【００２９】
ＰＷＭ信号ＤＣＳがハイレベルのとき、第１駆動回路１１０はハイレベルの第１制御信号ＤＲＶを出力し、第１スイッチング素子１１をオンさせる。このとき、第２駆動回路１２０が第２制御信号ＧＴＢをスイッチングすることで、スイッチングレギュレート制御を行う。これにより、調光用電圧ＡＣＳに対応した電流ＩＬＤが発光素子１５に流れる。ＰＷＭ信号ＤＣＳがローレベルのとき、第１駆動回路１１０はローレベルの第１制御信号ＤＲＶを出力し、第１スイッチング素子１１をオフさせる。また第２駆動回路１２０は、第２制御信号ＧＴＢをローレベルにする。このとき、発光素子１５に電流は流れない。
【００３０】
発光素子１５に流れる電流ＩＬＤの時間平均は、ＰＷＭ信号ＤＣＳのデューティーによって決まるので、発光量もＰＷＭ信号ＤＣＳのデューティーによって決まる。このように、ＰＷＭ調光モードでは、ＰＷＭ信号ＤＣＳのデューティーにより調光制御される。一方で、発光素子１５に電流ＩＬＤが流れているときの電流値は、その時間平均よりも高い電流値が確保されている。レーザーダイオードを発光させるためには、しきい値以上の電流ＩＬＤをレーザーダイオードに流す必要がある。上記のようなＰＷＭ制御を行うことで、レーザーダイオードにしきい値以上の電流ＩＬＤを流して発光させる共に、時間平均として調光を行うことが可能となっている。
【００３１】
２．過電流検出
次に、過電流検出について説明する。まず比較例を説明し、その後に本実施形態の過電流検出を説明する。
【００３２】
比較例では、第１抵抗ＲＣＳの両端の電位差（ＣＳＰ−ＣＳＮ）に基づいて、発光素子１５に過電流が流れたか否かが判断される。発光素子１５に過電流が流れたと判断されたとき、第２駆動回路１２０が第２制御信号ＧＴＢを非アクティブにすることで第２スイッチング素子１２をオフにする。これにより電流経路が遮断されるので、発光素子１５に電流が流れなくなる。
【００３３】
また比較例では、第２抵抗ＲＩＳの一端の電圧ＩＳに基づいて、第２スイッチング素子１２に過電流が流れたか否かが判断される。第２スイッチング素子１２に過電流が流れたと判断されたとき、第２駆動回路１２０がスイッチングレギュレート制御を再起動する。再起動において、第２スイッチング素子１２のオンデューティーを徐々に増加させるソフトスタートが行われる。これにより過電流が抑制される。なお、後述するように正常時においても第２スイッチング素子１２に大きな電流が流れる場合がある。このため、第２スイッチング素子１２の過電流を検出しても、スイッチングレギュレート制御を停止せず、再起動する。
【００３４】
以上の比較例では、２つの過電流検出の結果を、それぞれ個別に利用している。しかしながら、検出結果を個別に利用しただけでは、過電流に適切に対処できない場合がある。具体的には、第１抵抗ＲＣＳの両端が短絡した場合、その短絡による経路を介して電流が流れるので、第１抵抗ＲＣＳの両端の電位差は小さい。このため、電流検出回路１２３は、発光素子１５に流れる電流を小さいと誤判断し、第２駆動回路１２０が発光素子１５に流れる電流を増加させる。即ち、実際には発光素子１５に大きな電流が流れていても、更に発光素子１５の電流が増加され、その電流又は発光量が定格を超える可能性がある。このとき、第２抵抗ＲＩＳの一端の電圧ＩＳは大きくなるので過電流が検出されるが、スイッチングレギュレート制御が停止されずに再起動される。再起動後においても、短絡により発光素子１５に大きな電流が流れるので再起動が繰り返され、定格を超える発光が繰り返される可能性がある。
【００３５】
本実施形態では、第１抵抗ＲＣＳの両端の電位差である第１電位差と、第２抵抗ＲＩＳの両端の電位差である第２電位差とを検出し、それらの検出結果を組み合わせることで、過電流に適切に対処できる。以下、詳細に説明する。
【００３６】
図１、図２を用いて、発光制御装置１００が行う過電流検出を説明する。図１に示すように、第１検出回路１３１は、第１抵抗ＲＣＳの両端の電位差（ＣＳＰ−ＣＳＮ）である第１電位差を検出する。具体的には、第１検出回路１３１は、第１電位差が第１しきい値より小さいか否かを検出し、その結果である検出信号ＤＥＴＡを出力する。第１しきい値は、第１抵抗ＲＣＳの両端の短絡を検出するためのしきい値であり、正常時における電流ＩＬＤよりも十分小さい値に設定されている。即ち、第１しきい値は、正常時における電流ＩＬＤの最小値よりも小さい値であり、例えば、その最小値の１／２以下等に設定される。
【００３７】
なお、短絡とは、正規の電流経路以外に異常な電流経路が発生することである。即ち、抵抗の両端の短絡とは、金属又は埃等の付着、或いは実装不良によって、抵抗の両端を接続する異常な電流経路が発生することである。短絡により抵抗と並列に電流経路が発生するので、見かけ上、抵抗値が下がった状態となる。この見かけ上の抵抗値はゼロΩに限らず、見かけ上の抵抗値がゼロΩより大きい場合も短絡に含まれる。
【００３８】
第２検出回路１３２は、第２抵抗ＲＩＳの一端の電圧ＩＳを検出することで、第２抵抗ＲＩＳの両端の電位差である第２電位差を検出する。具体的には、第２検出回路１３２は、第２電位差が第２しきい値より小さいか否かを検出し、その結果である検出信号ＤＥＴＢを出力する。第２しきい値は、第２スイッチング素子１２の過電流を検出するためのしきい値である。スイッチングレギュレート制御の定常状態において第２スイッチング素子１２に流れる電流よりも十分大きい値に設定されている。即ち、第２スイッチング素子１２のオンデューティーがほぼ変化せず安定した状態において第２スイッチング素子１２に流れる電流の最大値よりも大きい値である。
【００３９】
なお、電位差の検出は必ずしも抵抗の両端の電圧をモニターしていなくてもよい。即ち、抵抗の一端が定電圧である場合には、抵抗の他端の電圧をモニターすることで電位差を検出可能である。具体的には、図２において電圧ＩＳはグランド基準の電圧である。この電圧ＩＳをモニターすることで、第２抵抗ＲＩＳの両端の電位差を検出可能である。
【００４０】
発光制御回路１０１は、第１電位差が第１しきい値より小さいと検出され、且つ第２電位差が第２しきい値より大きいと検出されたとき、第１制御信号ＤＲＶ及び第２制御信号ＧＴＢの少なくとも一方を非アクティブにする。この処理を停止処理と呼ぶ。具体的には、第１検出回路１３１は、第１電位差が第１しきい値より小さいとき、アクティブの検出信号ＤＥＴＡを出力し、第２検出回路１３２は、第２電位差が第２しきい値より大きいとき、アクティブの検出信号ＤＥＴＢを出力する。動作制御回路１３３は、ＤＥＴＡとＤＥＴＢが共にアクティブのとき、アクティブの停止信号ＳＳＴを出力する。制御信号出力回路１２１は、停止信号ＳＳＴがアクティブのとき、非アクティブの第２制御信号ＧＴＢを出力する。これにより、第２スイッチング素子１２がオフされるので、発光素子１５に流れる電流が停止する。
【００４１】
なお、停止信号ＳＳＴは第１駆動回路１１０に入力されてもよい。その場合、第１駆動回路１１０は、停止信号ＳＳＴがアクティブのとき、非アクティブの第１制御信号ＤＲＶを出力する。これにより、第１スイッチング素子１１がオフされるので、発光素子１５に流れる電流が停止する。
【００４２】
第１抵抗ＲＣＳの両端が短絡したとき、第１抵抗ＲＣＳの両端の電位差は小さく、且つ第２抵抗ＲＩＳの両端の電位差は大きくなる。本実施形態によれば、第１抵抗ＲＣＳの両端の電位差が第１しきい値より小さく、且つ第２抵抗ＲＩＳの両端の電位差が第２しきい値より大きいときに、発光素子１５に流れる電流を停止できる。即ち、第１抵抗ＲＣＳの両端が短絡したとき、発光素子１５に過大な電流が流れることを防止できる。
【００４３】
また本実施形態では、発光制御回路１０１は、第２電位差が第２しきい値より大きいと検出されたとき、第２スイッチング素子１２に流れる電流を停止させた後に、その電流を増加させる再起動処理を行う。
【００４４】
具体的には、検出信号ＤＥＴＢが非アクティブからアクティブになったとき、ソフトスタート制御回路１３５がソフトスタート処理を行う。即ちソフトスタート制御回路１３５は、エラーアンプ回路１２４の出力電圧ＥＲＱを一旦低下させた後、出力電圧ＥＲＱを徐々に上昇させる。図３で説明したように、ＥＲＱによって第２制御信号ＧＴＢのデューティーが決まる。このため、出力電圧ＥＲＱが低下することで第２制御信号ＧＴＢが非アクティブとなって第２スイッチング素子１２がオフとなる。そして、出力電圧ＥＲＱが徐々に上昇することで第２制御信号ＧＴＢのデューティーが徐々に上昇する。第２スイッチング素子１２に流れる電流はオンオフしているが、それを時間平均してみると、オンデューティーが徐々に増加することで電流が増加する。
【００４５】
後述するように、正常時、即ち第１抵抗ＲＣＳの両端が短絡していないときでも、第２抵抗ＲＩＳの両端の電位差が第２しきい値より大きくなる場合がある。第２抵抗ＲＩＳの両端の電位差が第２しきい値より大きいと検出されたとき、再起動処理が行われることで、正常時において過電流を抑制しつつ正常なスイッチングレギュレート制御に復帰できる。
【００４６】
また本実施形態では、発光制御回路１０１は、再起動処理後に停止処理を行う。具体的には、発光制御回路１０１は、再起動処理が２以上の所定回数行われたとき、停止処理を行う。図５に、この処理を説明する波形図を示す。なお以下ではハイレベルをアクティブとし、ローレベルを非アクティブとするが、アクティブと論理レベルの対応はこれに限定されない。
【００４７】
図５に示すように、第１抵抗ＲＣＳの両端が短絡していないとき、ソフトスタートにより電流ＩＬＤが上昇し、それにともなって電流検出回路１２３の検出電圧ＤＴＱが上昇する。第１検出回路１３１は、検出電圧ＤＴＱが第１しきい値より大きくなると検出信号ＤＥＴＡをハイレベルからローレベルにする。
【００４８】
時間ｔ０で第１抵抗ＲＣＳの両端が短絡したとする。短絡により検出電圧ＤＴＱが低下して第１しきい値より小さくなると、第１検出回路１３１は検出信号ＤＥＴＡをローレベルからハイレベルにする。
【００４９】
検出電圧ＤＴＱが低下すると、第２駆動回路１２０は、発光素子１５に流れる電流ＩＬＤを増やそうとするので、第２スイッチング素子１２のオンデューティーを大きくする。そうすると第２抵抗ＲＩＳに流れる電流が増加するので、第２抵抗ＲＩＳの両端の電位差が第２しきい値より大きくなったとき第２検出回路１３２が検出信号ＤＥＴＢをローレベルからハイレベルにする。
【００５０】
検出信号ＤＥＴＢがハイレベルになると、ソフトスタート制御回路１３５がソフトスタートを行うので、第２スイッチング素子１２のオンデューティーが下がり、発光素子１５に流れる電流ＩＬＤが低下する。また、検出信号ＤＥＴＢがハイレベルからローレベルになる。
【００５１】
時間ｔ０以降は第１抵抗ＲＣＳの両端が短絡しているので、電流検出回路１２３の検出電圧ＤＴＱが低いままであり、検出信号ＤＥＴＡがローレベルに維持される。また、発光素子１５に流れる電流ＩＬＤがソフトスタートにより徐々に上昇するが、電流検出回路１２３の検出電圧ＤＴＱが低いままなので第２駆動回路１２０が電流ＩＬＤを小さいままと判断し、第２スイッチング素子１２のオンデューティーを増加させ続ける。そうすると、再び第２抵抗ＲＩＳの両端の電位差が第２しきい値より大きくなるので、第２検出回路１３２が検出信号ＤＥＴＢをローレベルからハイレベルにし、ソフトスタート制御回路１３５がソフトスタートを行う。以降、同様な動作が繰り返される。
【００５２】
ＤＥＴＡ＝Ｌの状態で、且つＤＥＴＢの立ち上がりエッジが３回発生したとき、動作制御回路１３３は、停止信号ＳＳＴをローレベルからハイレベルにする。停止信号ＳＳＴがハイレベルのとき、第２駆動回路１２０は第２制御信号ＧＴＢをローレベルにすることで第２スイッチング素子１２をオフにする。なお、図５では所定回数を３回としたが、これに限定されず、所定回数は２以上であればよい。
【００５３】
図５では第１抵抗ＲＣＳの両端が短絡したことで検出信号ＤＥＴＢがハイレベルとなったが、後述するように正常時においても１又は複数回、検出信号ＤＥＴＢがハイレベルとなる可能性がある。本実施形態によれば、ソフトスタートによる再起動処理が２以上の所定回数行われたとき停止処理が行われるので、正常時において停止処理が実行されてしまうことを防止できる。なお、所定回数は、正常時において検出信号ＤＥＴＢがハイレベルとなる回数よりも多い回数に設定しておけばよい。
【００５４】
３．詳細構成例
図６は、電流検出回路１２３の詳細構成例、及び第１検出回路１３１の第１詳細構成例である。電流検出回路１２３は、差動入力シングルエンド出力のアンプ回路ＣＳＡＭＰを含む。アンプ回路ＣＳＡＭＰは、電流検出回路１２３に入力された電位差（ＣＳＰ−ＣＳＮ）を、所定ゲインで増幅し、その増幅後の電圧を検出電圧ＤＴＱとして出力する。
【００５５】
第１検出回路１３１は、コンパレーターＣＰＡを含む。コンパレーターＣＰＡは、検出電圧ＤＴＱと基準電圧ＶＴＡとを比較し、その結果である検出信号ＤＥＴＡを出力する。基準電圧ＶＴＡは第１しきい値に対応する。コンパレーターＣＰＡは、ＤＴＱ＞ＶＴＡのときＤＥＴＡ＝Ｌを出力し、ＤＴＱ＜ＶＴＡのときＤＥＴＡ＝Ｈを出力する。
【００５６】
図７は、第２検出回路１３２の詳細構成例である。第２検出回路１３２は、コンパレーターＣＰＢを含む。コンパレーターＣＰＢは、第２抵抗ＲＩＳの一端の電圧ＩＳと基準電圧ＶＴＢとを比較し、その結果である検出信号ＤＥＴＢを出力する。基準電圧ＶＴＢは第２しきい値に対応する。コンパレーターＣＰＢは、ＩＳ＜ＶＴＢのときＤＥＴＢ＝Ｌを出力し、ＩＳ＞ＶＴＢのときＤＥＴＢ＝Ｈを出力する。
【００５７】
図８は、動作制御回路１３３の詳細構成例である。動作制御回路１３３は、ラッチ回路ＦＡ１〜ＦＡ４とアンド回路ＡＮＡとを含む。以下、図５を参照して動作制御回路１３３の動作を説明する。
【００５８】
ラッチ回路ＦＡ１〜ＦＡ４は例えばダイナミックフリップフロップ回路である。ラッチ回路ＦＡ１〜ＦＡ３のクロック端子には検出信号ＤＥＴＢが入力される。図５の時間ｔ０において検出信号ＤＥＴＡがハイレベルとなる。ラッチ回路ＦＡ１は、ハイレベルの検出信号ＤＥＴＡを、検出信号ＤＥＴＢの立ち上がりエッジで取り込む。これにより、ラッチ回路ＦＡ１の出力信号ＥＲＲ１がローレベルからハイレベルになる。同様に、ラッチ回路ＦＡ２は、ハイレベルの出力信号ＥＲＲ１を、２つ目の検出信号ＤＥＴＢの立ち上がりエッジで取り込む。これにより、ラッチ回路ＦＡ２の出力信号ＥＲＲ２がローレベルからハイレベルになる。ラッチ回路ＦＡ３は、ハイレベルの出力信号ＥＲＲ２を、３つ目の検出信号ＤＥＴＢの立ち上がりエッジで取り込む。これにより、ラッチ回路ＦＡ３の出力信号ＥＲＲ３がローレベルからハイレベルになる。
【００５９】
アンド回路ＡＮＡは、出力信号ＥＲＲ１〜ＥＲＲ３の論理積を出力する。出力信号ＥＲＲ１〜ＥＲＲ３の全てがハイレベルになったとき、即ち、図５において３つ目の検出信号ＤＥＴＢの立ち上がりエッジで、アンド回路ＡＮＡの出力信号ＡＮＡＱがローレベルからハイレベルになる。
【００６０】
アンド回路ＡＮＡの出力信号ＡＮＡＱは、ラッチ回路ＦＡ４のクロック端子に入力される。出力信号ＡＮＡＱの立ち上がりエッジでラッチ回路ＦＡ４はハイレベルを取り込む。これにより、ラッチ回路ＦＡ４が出力する停止信号ＳＳＴが、ローレベルからハイレベルになる。以上により、３つ目の検出信号ＤＥＴＢの立ち上がりエッジで停止信号ＳＳＴがローレベルからハイレベルになる。
【００６１】
以上では、第１検出回路１３１は、第１抵抗ＲＣＳの両端の電位差である第１電位差が、第１しきい値より小さいか否かを検出しているが、第１検出回路１３１は更に、第１電位差が第３しきい値より大きいか否かを検出してもよい。そして、第１電位差が第３しきい値より大きいと検出されたとき、発光制御回路１０１は、発光素子１５に過電流が流れたと判断し、第１制御信号ＤＲＶ及び第２制御信号ＧＴＢの少なくとも一方を非アクティブにしてもよい。
【００６２】
このようにすれば、第１抵抗ＲＣＳの両端が短絡されていない正常時においても、発光素子１５に流れる過電流を検出できる。そして、過電流が検出されたときに第１スイッチング素子１１及び第２スイッチング素子１２の少なくとも一方がオフになるので、過電流の電流経路を遮断できる。
【００６３】
以下、上記検出を行う場合の構成例を説明する。図９は、第１検出回路１３１の第２詳細構成例である。
【００６４】
図９では、第１検出回路１３１がコンパレーターＣＰＣを更に含む。コンパレーターＣＰＣは、検出電圧ＤＴＱと基準電圧ＶＴＣとを比較し、その結果である検出信号ＤＥＴＣを出力する。基準電圧ＶＴＣは第３しきい値に対応する。コンパレーターＣＰＣは、ＤＴＱ＜ＶＴＣのときＤＥＴＣ＝Ｌを出力し、ＤＴＱ＞ＶＴＣのときＤＥＴＣ＝Ｈを出力する。
【００６５】
図１０は、図９の第１検出回路１３１の動作を説明する波形図である。ここではＤＥＴＡ＝Ｌとする。発光素子１５に流れる電流ＩＬＤが何らかの異常により上昇すると、電流検出回路１２３の検出電圧ＤＴＱが上昇する。検出電圧ＤＴＱが基準電圧ＶＴＣより大きくなると検出信号ＤＥＴＣがローレベルからハイレベルになる。動作制御回路１３３は、検出信号ＤＥＴＣがローレベルからハイレベルになったとき、停止信号ＳＳＴをローレベルからハイレベルにする。発光素子１５に電流が流れなくなるので検出信号ＤＥＴＣがローレベルに戻るが、停止信号ＳＳＴはハイレベルに維持される。例えば、図８のアンド回路ＡＮＡの出力信号ＡＮＡＱと検出信号ＤＥＴＣの論理和をラッチ回路ＦＡ４のクロック端子に入力すればよい。
【００６６】
４．ソフトスタート制御回路
ソフトスタート制御回路１３５の構成及び動作を説明する。図１１は、ソフトスタート制御回路１３５の詳細構成例である。
【００６７】
ソフトスタート制御回路１３５は、Ｐ型トランジスターＴＰ１〜ＴＰ３とＮ型トランジスターＴＮ１、ＴＮ２とバイポーラートランジスターＢＰＴとインバーターＩＮＶと電流源ＩＢＳ１とを含む。
【００６８】
図１２に、ソフトスタート制御回路１３５の動作を説明する波形図を示す。検出信号ＤＥＴＢがローレベルからハイレベルになると、Ｎ型トランジスターＴＮ１、ＴＮ２がオフからオンになる。
【００６９】
Ｎ型トランジスターＴＮ１、ＴＮ２がオンのとき、端子ＴＣＭ、ＴＳＳがＮ型トランジスターＴＮ１、ＴＮ２を介してグランドに接続される。これにより、端子ＴＣＭに接続されたキャパシターＣＭと、端子ＴＳＳに接続されたキャパシターＣＳＳがディスチャージされる。キャパシターＣＭ、ＣＳＳは発光制御装置１００の外付け部品である。キャパシターＣＭ、ＣＳＳがディスチャージされると、エラーアンプ回路１２４の出力電圧ＥＲＱと端子ＴＳＳの電圧ＳＳとがグランド付近の電圧になる。
【００７０】
Ｐ型トランジスターＴＰ２、ＴＰ３はカレントミラー回路を構成しており、電流源ＩＢＳ１が流す電流が、Ｐ型トランジスターＴＰ３のドレイン電流にミラーされている。検出信号ＤＥＴＢがハイレベルのとき、Ｐ型トランジスターＴＰ１はオンである。このとき、電流源ＩＢＳ１が流す電流はＰ型トランジスターＴＰ１に流れるので、ミラー電流はゼロになっている。
【００７１】
検出信号ＤＥＴＢがハイレベルからローレベルになると、Ｎ型トランジスターＴＮ１、ＴＮ２がオンからオフになる。
【００７２】
検出信号ＤＥＴＢがローレベルのとき、Ｐ型トランジスターＴＰ１とＮ型トランジスターＴＮ１、ＴＮ２がオフである。このとき、電流源ＩＢＳ１が流す電流がＰ型トランジスターＴＮ３のドレイン電流にミラーされ、そのミラー電流がキャパシターＣＳＳをチャージするので、電圧ＳＳが徐々に上昇する。電圧ＳＳが上昇すると、バイポーラートランジスターＢＰＴのベース−エミッター間電圧が大きくなるのでバイポーラートランジスターＢＰＴがオフになる。これにより、エラーアンプ回路１２４の出力によってキャパシターＣＭがチャージされ、エラーアンプ回路１２４の出力電圧ＥＲＱが徐々に上昇する。
【００７３】
図１３は、正常時においてソフトスタート処理が行われる場合の波形図である。発光制御装置１００に電源が投入された後、ソフトスタートにより電圧ＳＳが上昇する。このとき調光用電圧ＡＣＳが小さい、即ち発光素子１５に流れる電流ＩＬＤが小さいとする。
【００７４】
ソフトスタートが終了してキャパシターＣＳＳが十分にチャージされた状態のとき、調光用電圧ＡＣＳが急に大きくなったとする。このとき、発光素子１５に流れる電流ＩＬＤはまだ小さいので、電流検出回路１２３の検出電圧ＤＴＱは調光用電圧ＡＣＳより低い。このためエラーアンプ回路１２４の出力電圧ＥＲＱが上昇する。
【００７５】
ＥＲＱが大きくなると第２制御信号ＧＴＢのデューティーが大きくなるので、第２スイッチング素子１２のオンデューティーが大きくなり、インダクター１４に大きな電流が供給される。そうすると第２抵抗ＲＩＳの一端の電圧ＩＳが大きくなるので、検出信号ＤＥＴＢがハイレベルとなり、再起動処理、即ちソフトスタート処理が実行される。
【００７６】
以上のように、第１抵抗ＲＣＳの両端が短絡していない正常時において、少なくとも１回、再起動処理が実行される可能性がある。
【００７７】
５．投写型映像表示装置
図１４は、光源装置２００を含む投写型映像表示装置４００の構成例である。投写型映像表示装置４００は、スクリーンに映像を投写する装置であり、プロジェクターとも呼ばれる。投写型映像表示装置４００は、光源装置２００と処理装置３００と操作部３１０と記憶部３２０と通信部３３０と表示装置３４０と光学系３５０とを含む。光源装置２００は発光制御装置１００と光源回路１０とを含む。
【００７８】
通信部３３０は、ＰＣ等の情報処理装置との間で通信を行う。通信部３３０は、ＶＧＡ規格又はＤＶＩ規格、ＨＤＭＩ（ＨＤＭＩは登録商標）規格等の種々の映像インターフェースである。或いは、通信部３３０は、ＵＳＢ規格等の通信インターフェースであってもよいし、又はＬＡＮ等のネットワークインターフェースであってもよい。記憶部３２０は、通信部３３０から入力された画像データを記憶する。また記憶部３２０は処理装置３００のワーキングメモリーとして機能してもよい。記憶部３２０は、半導体メモリー又はハードディスクドライブ等の種々の記憶装置である。操作部３１０は、ユーザーが投写型映像表示装置４００を操作するためのユーザーインターフェースである。例えば操作部３１０は、ボタン又はタッチパネル、ポインティングデバイス、文字入力デバイス等である。処理装置３００は、ＣＰＵ又はＭＰＵ等のプロセッサーである。処理装置３００は、記憶部３２０に記憶された画像データを表示装置３４０へ送信する。また処理装置３００は、発光制御装置１００にＰＷＭ信号及び調光用電圧を出力することで調光制御を行う。表示装置３４０は、液晶表示パネルと、画像データに基づいて液晶表示パネルに画像を表示させる表示ドライバーと、を含む。液晶パネルには光源回路１０から光が入射され、液晶パネルを透過した光が光学系３５０によってスクリーンに投写される。図１４では光の経路を点線矢印で示している。
【００７９】
以上に説明した本実施形態の発光制御装置は、光源回路の第１スイッチング素子及び第２スイッチング素子を制御する。光源回路は、第１電源ノードと第１ノードとの間に直列に設けられる発光素子及び第１抵抗及び第１スイッチング素子と、第１ノードと第２電源ノードとの間に直列に設けられるインダクター及び第２スイッチング素子及び第２抵抗と、を含む。発光制御装置は、第１検出回路と第２検出回路と発光制御回路とをふくむ。第１検出回路は、第１抵抗の両端の電位差である第１電位差を、検出する。第２検出回路は、第２抵抗の両端の電位差である第２電位差を、検出する。発光制御回路は、第１スイッチング素子のオンオフを制御する第１制御信号と、第２スイッチング素子のオンオフを制御する第２制御信号と、を出力する。発光制御回路は、第１検出回路により第１電位差が第１しきい値より小さいと検出され、且つ第２検出回路により第２電位差が第２しきい値より大きいと検出されたとき、第１制御信号及び第２制御信号の少なくとも一方を、非アクティブにする停止処理を行う。
【００８０】
このようにすれば、第１抵抗の両端の電位差に基づいて、発光素子に流れる電流が検出され、第２抵抗の両端の電位差に基づいて、第２スイッチング素子に流れる電流が検出される。そして、これらの電流検出結果に基づいて、第１スイッチング素子及び第２スイッチング素子の少なくとも一方がオフされることで、発光素子に流れる電流が停止される。これにより過電流に適切に対処できる。具体的には、第１抵抗の両端の電位差が第１しきい値より小さく、且つ第２抵抗の両端の電位差が第２しきい値より大きいときに、発光素子に流れる電流が停止されることで、第１抵抗の両端が短絡した場合であっても過電流を適切に防止できる。
【００８１】
また本実施形態では、発光制御回路は、第２検出回路により第２電位差が第２しきい値より大きいと検出されたとき、第２スイッチング素子に流れる電流を停止させた後に電流を増加させる再起動処理を行ってもよい。
【００８２】
第１抵抗の両端が短絡していない正常時において、第２抵抗の両端の電位差が第２しきい値より大きくなる場合がある。第２抵抗の両端の電位差が第２しきい値より大きいと検出されたとき、再起動処理が行われることで、正常時において過電流を抑制しつつ正常なスイッチングレギュレート制御に復帰できる。
【００８３】
また本実施形態では、発光制御回路は、再起動処理後に停止処理を行ってもよい。
【００８４】
第１抵抗の両端が短絡している場合、再起動処理が実行されても、再び第２スイッチング素子に過電流が流れる。本実施形態によれば、再起動処理後に停止処理が行われるので、正常時において停止処理が実行されてしまうことを抑制しつつ、第１抵抗の両端が短絡している場合には適切に過電流を停止できる。
【００８５】
また本実施形態では、発光制御回路は、再起動処理後に、第１検出回路により第１電位差が第１しきい値より小さいと検出され、且つ第２検出回路により第２電位差が第２しきい値より大きいと検出されたとき、停止処理を行ってもよい。
【００８６】
第１抵抗の両端が短絡している場合、再起動処理が実行されても、再び第１電位差が第１しきい値より小さく且つ第２電位差が第２しきい値より大きい状態となる。このような状態が検出されたとき停止処理が行われることで、正常時において停止処理が実行されてしまうことを抑制しつつ、第１抵抗の両端が短絡している場合には適切に過電流を停止できる。
【００８７】
また本実施形態では、発光制御回路は、再起動処理が２以上の所定回数行われたとき、停止処理を行ってもよい。
【００８８】
第１抵抗の両端が短絡している場合、再起動処理が実行されても、再び第２スイッチング素子に過電流が流れるので、再起動処理が繰り返される。一方、正常時において少なくとも１回、再起動処理が行われる可能性がある。本実施形態によれば、再起動処理が２以上の所定回数行われたとき停止処理が行われるので、正常時において停止処理が実行されてしまうことを防止しつつ、第１抵抗の両端が短絡している場合には適切に過電流を停止できる。
【００８９】
また本実施形態では、発光制御回路は、第１検出回路により第１電位差が第１しきい値より小さいと検出され、且つ第２検出回路により第２電位差が第２しきい値より大きいと検出されたとき、第１抵抗の両端が短絡されたと判断してもよい。
【００９０】
このようにすれば、発光素子に流れる電流の検出結果と、第２スイッチング素子に流れる電流の検出結果とを組み合わせて用いることで、第１抵抗の両端が短絡されたことを判断できる。
【００９１】
また本実施形態では、発光制御回路は、第１検出回路により第１電位差が第３しきい値より大きいと検出されたとき、発光素子に過電流が流れたと判断してもよい。
【００９２】
このようにすれば、第１抵抗の両端が短絡されていない正常時において、発光素子に過電流が流れたことを検出できる。
【００９３】
また本実施形態では、発光制御回路は、第２検出回路により第２電位差が第２しきい値より大きいと検出されたとき、第２スイッチング素子に過電流が流れたと判断してもよい。
【００９４】
このようにすれば、第１抵抗の両端が短絡されたとき、及び第１抵抗の両端が短絡されていない正常時の両方において、第２スイッチング素子に過電流が流れたか否かを判断できる。
【００９５】
また本実施形態では、発光制御回路は、第１電位差に基づいて発光素子に流れる電流を検出する電流検出回路を含んでもよい。第１検出回路は、電流検出回路の電流検出結果に基づいて第１電位差を検出してもよい。発光制御回路は、電流検出結果と第２電位差に基づいて、第２制御信号をＰＷＭ制御してもよい。
【００９６】
このようにすれば、発光素子に流れる電流の検出結果と、第２スイッチング素子に流れる電流の検出結果とに基づいて、発光素子に流れる電流をスイッチングレギュレート制御できる。そして、これら２つの電流検出結果を用いて過電流に適切に対処できる。
【００９７】
また本実施形態では、光源装置は、上記のいずれかに記載の発光制御装置と、光源回路と、を含む。
【００９８】
また本実施形態では、第１抵抗は、第１電源ノードと発光素子の一端との間に接続されてもよい。第１スイッチング素子は、発光素子の他端とインダクターの一端との間に接続されてもよい。第２スイッチング素子は、インダクターの他端と第２抵抗の一端との間に接続されてもよい。第２抵抗の他端は、第２電源ノードに接続されてもよい。
【００９９】
また本実施形態の投写型映像表示装置は、上記のいずれかに記載された光源装置と、光源装置を制御する処理装置と、を含む。
【０１００】
なお、上記のように本実施形態について詳細に説明したが、本開示の新規事項および効果から実体的に逸脱しない多くの変形が可能であることは当業者には容易に理解できるであろう。従って、このような変形例はすべて本開示の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本開示の範囲に含まれる。また発光制御回路、発光制御装置、光源回路、光源装置、投写型映像表示装置の構成及び動作等も、本実施形態で説明したものに限定されず、種々の変形実施が可能である。
【符号の説明】
【０１０１】
１０…光源回路、１１…第１スイッチング素子、１２…第２スイッチング素子、１４…インダクター、１５…発光素子、１００…発光制御装置、１０１…発光制御回路、１１０…第１駆動回路、１２０…第２駆動回路、１２１…制御信号出力回路、１２２…スロープ補償回路、１２３…電流検出回路、１２４…エラーアンプ回路、１２５…スイッチ回路、１２６…コンパレーター、１３１…第１検出回路、１３２…第２検出回路、１３３…動作制御回路、１３５…ソフトスタート制御回路、１４０…発振回路、２００…光源装置、３００…処理装置、３１０…操作部、３２０…記憶部、３３０…通信部、３４０…表示装置、３５０…光学系、４００…投写型映像表示装置、ＡＣＳ…調光用電圧、ＤＣＳ…ＰＷＭ信号、ＤＲＶ…第１制御信号、ＧＴＢ…第２制御信号、ＩＬＤ…発光素子に流れる電流、Ｎ１…第１ノード、ＮＧＮ…第２電源ノード、ＮＶＩ…第１電源ノード、ＲＣＳ…第１抵抗、ＲＩＳ…第２抵抗
【図１】
2020140797.tif 000003
【図２】
2020140797.tif 000004
【図３】
2020140797.tif 000005
【図４】
2020140797.tif 000006
【図５】
2020140797.tif 000007
【図６】
2020140797.tif 000008
【図７】
2020140797.tif 000009
【図８】
2020140797.tif 000010
【図９】
2020140797.tif 000011
【図１０】
2020140797.tif 000012
【図１１】
2020140797.tif 000013
【図１２】
2020140797.tif 000014
【図１３】
2020140797.tif 000015
【図１４】
2020140797.tif 000016